(57)【要約】【課題】空調機器に個人や環境の特性に応じた最適温度を自動設定することができる空調システムを提供する。【解決手段】センターシステム２は、所定時間Ｔ毎に、稼働している空調機器１１に設定された温度を、広域ネットワークを介して収集し、統計処理により設定温度統計情報（標準最適温度と分布情報）を算出し、所定時間τ毎に、空調機器稼働情報の温度設定補正と設定温度統計情報（標準最適温度と分布情報）を使用して空調機器毎の最適温度を算出し、対応するリモコン１２に対してその最適温度に設定するように制御する。空調機器１１の設定温度が変更された場合は、空調機器１１の設定温度を取得して、設定温度統計情報に基づいて温度設定補正を更新する。【選択図】図１
2012167884.tif 000002
【特許請求の範囲】
【請求項１】
中央装置と、中央装置とネットワークを介して接続された複数の空調機器からなる空調システムにおいて、
前記中央装置は、
前記空調機器の設定温度を取得して、統計処理により設定温度分布を算出する手段と、
個々の空調機器に対応する温度設定補正情報をもとに、前記設定温度分布における各空調機器の最適設定温度を決定して、前記ネットワークを通じて各空調機器に設定する手段と、
を有することを特徴とする空調システム。
【請求項２】
前記中央装置は、前記空調機器の設定温度が変更された場合、前記空調機器の設定温度を取得して、温度設定補正情報として記憶して最適設定温度の算出に利用する手段とを更に有することを特徴とする請求項１に記載の空調システム。
【請求項３】
前記温度設定補正情報は、前記空調機器の設定温度と、統計処理により算出した前記設定温度分布に基づいて更新されることを特徴とする請求項１または２に記載の空調システム。
【請求項４】
中央装置と、中央装置とネットワークを介して接続された複数の空調機器からなる空調システムの温度設定方法において、
前記中央装置は、
前記空調機器の設定温度を取得して、統計処理により設定温度分布を算出するステップと、
個々の空調機器に対応する温度設定補正情報をもとに、前記設定温度分布における各空調機器の最適設定温度を決定して、前記ネットワークを通じて各空調機器に設定するステップと、
を含むことを特徴とする空調システムの温度設定方法。
【請求項５】
前記中央装置は、前記空調機器の設定温度が変更された場合、前記空調機器の設定温度を取得して、温度設定補正情報として記憶して最適設定温度の算出に利用するステップとを更に含むことを特徴とする請求項１に記載の空調システムの温度設定方法。
【請求項６】
前記温度設定補正情報は、前記空調機器の設定温度と、統計処理により算出した前記設定温度分布に基づいて更新されることを特徴とする請求項１または２に記載の空調システムの温度設定方法。
【発明の詳細な説明】
【技術分野】
【０００１】
本発明は、ネットワークを介して空調機器に季節、環境、気候、個人の特性に応じた最適温度を設定する空調システムおよび温度設定方法に関する。
【背景技術】
【０００２】
従来の空調機器によれば、空調機器に体感温度を設定したり、温度に影響する環境要因を入力したりすることにより、空調機器を個人や環境の特性に応じた最適な温度に設定して、個別に問題を解決するものが知られている（非特許文献１参照）。また、ネットワークを利用した空調システムには、一戸または１フロアに閉じた協調的な温度調整を自動で行い、または気象情報をもとに温度値を各空調機器に自動で設定するものがある。
【先行技術文献】
【非特許文献】
【０００３】
【非特許文献１】マイコミジャーナル「松下、全部入りエアコンＸシリーズに新機種−体感温度にあわせて自動運転」,インターネット＜ＵＲＬ：ｈｔｔｐ：／／ｊｏｕｒｎａｌ．ｍｙｃｏｍ．ｃｏ．ｊｐ／ｎｅｗｓ／２００７／１０／１０／０３８／ｉｎｄｅｘ．ｈｔｍｌ＞
【発明の概要】
【発明が解決しようとする課題】
【０００４】
しかしながら、上述した非特許文献１に記載の空調機器では、空調機器に最適温度を設定するためには、ユーザが機器毎に体感温度等を設定する以外に方法はなく、自動で最適温度を設定することができないという問題があった。また、ネットワークを利用した空調システムでは、空調機器に温度を自動で設定することはできるが、機器毎に最適温度を設定することができないという問題があった。
【０００５】
本発明は、このような問題点に鑑みてなされたものであり、本発明の目的は、空調機器に個人や環境の特性に応じた最適温度を自動設定することができる空調システムおよび温度設定方法を提供することにある。
【課題を解決するための手段】
【０００６】
上記目的を達成するため、本発明は、中央装置と、中央装置とネットワークを介して接続された複数の空調機器からなる空調システムにおいて、前記中央装置は、前記空調機器の設定温度を取得して、統計処理により設定温度分布を算出する手段と、個々の空調機器に対応する温度設定補正情報をもとに、前記設定温度分布における各空調機器の最適設定温度を決定して、前記ネットワークを通じて各空調機器に設定する手段と、を有することを特徴とする。
【０００７】
前記中央装置は、前記空調機器の設定温度が変更された場合、前記空調機器の設定温度を取得して、温度設定補正情報として記憶して最適設定温度の算出に利用する手段とを更に有することが好ましい。また、前記温度設定補正情報は、前記空調機器の設定温度と、統計処理により算出した前記設定温度分布に基づいて更新されることが好ましい。
【０００８】
また、本発明は、中央装置と、中央装置とネットワークを介して接続された複数の空調機器からなる空調システムの温度設定方法において、前記中央装置は、前記空調機器の設定温度を取得して、統計処理により設定温度分布を算出するステップと、個々の空調機器に対応する温度設定補正情報をもとに、前記設定温度分布における各空調機器の最適設定温度を決定して、前記ネットワークを通じて各空調機器に設定するステップと、を含むことを特徴とする。
【０００９】
前記中央装置は、前記空調機器の設定温度が変更された場合、前記空調機器の設定温度を取得して、温度設定補正情報として記憶して最適設定温度の算出に利用するステップとを更に含むことが好ましい。また、前記温度設定補正情報は、前記空調機器の設定温度と、統計処理により算出した前記設定温度分布に基づいて更新されることが好ましい。
【発明の効果】
【００１０】
本発明は、実際にその時に人が最適と感じた設定温度から統計的に最適温度を算出するため、体感温度に影響する様々な要因を反映した快適な温度を空調機器に設定することができる。
【図面の簡単な説明】
【００１１】
【図１】本発明の実施の形態に係る空調システムの構成図である。
【図２】空調機器が稼働を開始する時のセンターシステムの動作を説明するフローチャートである。
【図３】センターシステムが空調機器毎に行う処理動作を説明するフローチャートである。
【発明を実施するための形態】
【００１２】
本発明の実施の形態について、図面を参照して説明する。図１は、本発明の実施の形態に係る空調システムの構成図である。本発明の実施の形態に係る空調システムは、複数の宅内システム１−１〜１−ｎ（ｎは自然数）と、センターシステム２（中央装置）からなり、複数の宅内システム１−１〜１−ｎとセンターシステム２とは広域ネットワーク３を介して接続されている。
【００１３】
宅内システム１−１〜１−ｎのそれぞれは、空調機器１１と、空調機器１１を操作するリモコン１２と、広域ネットワーク３に接続されたホームゲートウェイ（ＨＧＷ）１３を備えている。リモコン１２は、赤外線インタフェースまたは無線インタフェースを用いて空調機器１１を操作する。ホームゲートウェイ（ＨＧＷ）１３は、無線ＬＡＮインターフェースを用いてリモコン１２と信号の送受信を行う。リモコン１２は、空調機器１１を制御し、さらに、無線ＬＡＮインターフェースおよび広域ネットワーク３を通じて、機器識別子を付加した空調機器制御情報をセンターシステム２に送信する。空調機器１１は、機器固有の機器識別子を有し、予めセンターシステム２に登録されている。
【００１４】
センターシステム２は、サーバ装置からなり、通信制御処理部２１と、稼働状態処理部２２と、統計処理部２３と、設定変更処理部２４と、記憶部２５を備えている。通信制御処理部２１は、リモコン１２と信号の送受信を行う。稼働状態処理部２２は、空調機器１１の稼働状態（稼働中、停止中）を処理する。統計処理部２３は、空調機器毎の設定温度を統計処理して設定温度分布を算出する。設定変更処理部２４は、空調機器１１の設定温度に変更があったときに、記憶部２５の対応する情報の設定温度と温度設定時刻を更新する。記憶部２５は、設定温度統計情報と、空調機器稼働情報と、空調機器属性情報とを格納する。
【００１５】
表１に、記憶部２５に格納される設定温度統計情報を示す。
【００１６】
【表１】
2012167884.tif 000003
【００１７】
設定温度統計情報は、属性識別子毎に格納され、地域、年齢、性別でグループ分けされた属性（グループ）を識別する属性識別子と、当該属性に所属する空調機器の最適温度である標準最適温度と、温度分布を特定する諸情報である分布情報からなる。例えば、温度分布が正規分布に従うとして、標準最適温度には、平均値μが格納され、分布情報には、標準偏差σが格納される。
【００１８】
表２に、記憶部２５に格納される空調機器稼働情報を示す。
【００１９】
【表２】
2012167884.tif 000004
【００２０】
空調機器稼働情報は、機器識別子毎に格納され、空調機器を識別する機器識別子と、空調機器が所属する属性の識別子である属性識別子と、空調機器の稼働状態（「稼働中」または「停止中」）と、現在の空調機器の設定温度と、空調機器に温度を設定した温度設定時刻と、設定温度と設定温度統計情報を使用して算出した温度設定補正からなる。温度設定補正には、例えば、標準最適温度である平均値からどのくらいずれているかを示す偏差位置が格納される。もし、ある空調機器の設定温度がｔであったなら、その温度設定補正は（ｔ−μ）／σとなる。
【００２１】
表３に、記憶部２５に格納される空調機器属性情報を示す。
【００２２】
【表３】
2012167884.tif 000005
【００２３】
空調機器属性情報は、属性識別子毎に格納され、属性を識別する属性識別子と、空調機器が稼働する地域と、空調機器を主として利用するユーザの年齢と、空調機器を主として利用するユーザの性別の情報からなる。
【００２４】
次に、図１に示すセンターシステムの動作を説明する。まず、空調機器の稼働開始時の動作を図２のフローチャートに従って説明する。センターシステム２は、停止中の空調機器１１がリモコン１２の操作により運転中となり、リモコン１２から該当機器の稼働開始通知を受信すると（ステップＳ１０１）、稼働状態処理部２２により該当機器の空調機器稼働情報の稼働状態を「稼働中」とする（ステップＳ１０２）。次に、空調機器稼働情報の温度設定補正に値が記入されていないか否かを判定し（ステップＳ１０３）、温度設定補正がある場合（ステップＳ１０３でＹｅｓの場合）は、空調機器１１が所属する属性の設定温度統計情報の情報（標準最適温度と分布情報）と空調機器稼働情報の温度設定補正から最適温度を算出し（ステップＳ１０４）、空調機器稼働情報の設定温度にその値を書き込む（ステップＳ１０６）。最後にリモコン１２に対して設定温度に変更するように制御する（ステップＳ１０７）。
【００２５】
空調機器の初回の稼働開始では空調機器稼働情報の温度設定補正に値が記入されていない。そのため、温度設定補正がない場合（ステップＳ１０３でＮｏの場合）は、標準最適温度を最適温度とし（ステップＳ１０５）、空調機器稼働情報の設定温度にその値を書き込む（ステップＳ１０６）。最後にリモコン１２に対して設定温度に変更するように制御する（ステップＳ１０７）。
【００２６】
次に、センターシステムの統計処理の動作を説明する。センターシステム２の統計処理部２３は、周期Ｔ毎に空調機器稼働情報を属性識別子毎にグループ分けを行い、対象となる空調機器稼働情報の設定温度を統計処理して、標準最適温度と分布情報を求め、標準最適温度と分布情報を対応する設定温度統計情報のレコードに書き込む。このとき、空調機器稼働情報の稼働状態が「停止中」であるレコードは、処理の対象としない。
【００２７】
次に、センターシステムが空調機器毎に行う処理動作を図３のフローチャートに従って説明する。まず、センターシステム２は、空調機器稼働情報の温度設定時刻に値が記入されていないか否かを判定し（ステップＳ２０１）、温度設定時刻が設定されている場合（ステップＳ２０１でＹｅｓの場合）には、温度設定時刻からτ時間が経過していないか否かを判定する（ステップＳ２０２）。温度設定時刻からτ時間が経過していない場合（ステップＳ２０２でＮｏの場合）には、何もしない。なお、時間τは周期Ｔに比べて十分大きいとする。時間τは、センターシステム２により温度設定を変更しない猶予期間である。ユーザーが自ら設定温度を変更した場合は、その温度はユーザーにとって最適な温度であるはずなので、その温度を尊重して時間τが経過するまで温度設定を変更しないようにするためのものである。温度設定時刻から初めてτ時間が経過している場合（ステップＳ２０２でＹｅｓの場合）には、空調機器稼働情報の設定温度と設定温度統計情報（標準最適温度と分布情報）を使用して空調機器毎の温度設定補正（偏差値）を算出し（ステップＳ２０３）、温度設定補正を更新し、温度設定時刻を未設定とする（ステップＳ２０４）。
【００２８】
温度設定時刻が設定されていない場合（ステップＳ２０１でＮｏの場合）は、空調機器稼働情報の温度設定補正と設定温度統計情報（標準最適温度と分布情報）を使用して空調機器毎の最適温度を算出し（ステップＳ２０５）、空調機器稼働情報の設定温度にその値を書き込む（ステップＳ２０６）。例えば、各空調機器の設定温度分布が正規標準に従うとして、現時点における平均値（標準最適温度）と標準偏差（分布情報）がそれぞれμ’とσ’で、ある空調機器の温度設定補正がｘであった場合、その空調機器の設定温度はｘσ’＋μ’となる。最後に、対応するリモコン１２にその温度に設定するように制御する（ステップＳ２０７）。
【００２９】
なお、リモコン１２から空調機器１１に設定温度を変更する操作があった場合は、その制御情報がセンターシステム２に送られ、設定変更処理部２４により温度設定の変更がなされる。対応する空調機器稼働情報の設定温度と温度設定時刻が更新される。ただし、このときには温度設定補正の再計算はしない。
【００３０】
また、稼働中の空調機器１１をリモコン１２により停止としたときは、センターシステム２に通知され、稼働状態処理部２２により空調機器稼働情報の稼働状態を「停止中」と更新する。
【００３１】
上述した実施の形態では、センターシステム２は、リモコン１２を介して空調機器１１から情報を取得して、空調機器１１に温度を設定するようにしたが、リモコン１２を介さずに、直接、空調機器１１から情報を取得して、空調機器１１に温度を設定するようにしても良い。
【符号の説明】
【００３２】
１−１〜１−ｎ  宅内システム
２  センターシステム
３  広域ネットワーク
１１  空調機器
１２  リモコン
１３  ホームゲートウェイ（ＨＧＷ）
２１  通信制御処理部
２２  稼働状態処理部
２３  統計処理部
２４  設定変更処理部
２５  記憶部
【図１】
2012167884.tif 000006
【図２】
2012167884.tif 000007
【図３】
2012167884.tif 000008